(57)【要約】【課題】画像を見た際に疲れにくいシャッター眼鏡、及び、画像表示システムを提供する。【解決手段】液晶シャッター眼鏡３は、入射光の透過及び遮断を切替可能な左目用選択部３１及び右目用選択部３２と、左目用選択部３１及び右目用選択部３２が配設されたフレーム部材３５とを備える。この液晶シャッター眼鏡３は、左目用選択部３１及び右目用選択部３２を駆動させる駆動回路３３及び電池３４を備える。フレーム部材３５は、左目用選択部３１及び右目用選択部３２が取り付けられるリム部３５１と、各一端がリム部３５１にそれぞれ連結した一対のテンプル部３５２とを備える。駆動回路３３及び電池３４の少なくともいずれか一方は、テンプル部３５２の他端側に配設されている。【選択図】図２
2012058530.tif 000002
【特許請求の範囲】
【請求項１】
入射光の透過及び遮断を切替可能な一対のシャッター部材と、前記一対のシャッター部材が配設されたフレーム部材とを備えるシャッター眼鏡であって、
前記シャッター部材を駆動させる駆動回路及び駆動電源を備え、
前記フレーム部材は、
前記シャッター部材が取り付けられるリム部と、
各一端が前記リム部にそれぞれ連結した一対のテンプル部とを備え、
前記駆動回路及び前記駆動電源の少なくともいずれか一方は、
前記テンプル部の他端側に配設されている
ことを特徴とするシャッター眼鏡。
【請求項２】
請求項１に記載のシャッター眼鏡において、
前記駆動回路及び前記駆動電源の少なくともいずれか一方は、
前記テンプル部の他端側の先端部に配設されている
ことを特徴とするシャッター眼鏡。
【請求項３】
請求項１または請求項２に記載のシャッター眼鏡において、
前記一対のテンプル部は、
観察者が装着した際の装着状態で、前記先端部が前記他端側の下方に向かい、かつ、互いに近づくように屈曲している
ことを特徴とするシャッター眼鏡。
【請求項４】
請求項１または請求項２に記載のシャッター眼鏡において、
前記テンプル部は、
前記リム部から斜め上方に向けて延出している
ことを特徴とするシャッター眼鏡。
【請求項５】
請求項１から請求項４のいずれかに記載のシャッター眼鏡と、
第１画像及び第２画像を時分割で交互に表示する画像表示装置とを備える
ことを特徴とする画像表示システム。
【発明の詳細な説明】
【技術分野】
【０００１】
本発明は、シャッター眼鏡、及び、画像表示システムに関する。
【背景技術】
【０００２】
従来、プロジェクター等の画像表示装置と、液晶シャッター眼鏡等のシャッター眼鏡とを備えた画像表示システムが知られている。
この画像表示システムでは、観察者は、シャッター眼鏡を装着して、画像表示装置によりスクリーン等に投射される画像を観察することで、立体画像を視認する。
そして、シャッター眼鏡は、通常、液晶シャッター等により構成される一対のシャッター部材と、この一対のシャッター部材を駆動させる駆動回路及び駆動電源等をフレーム部材に備える。
このように、シャッター眼鏡は、多くの部品を備えるため、一般的な視度矯正用眼鏡よりも重くなり長時間装着すると疲れ易い傾向がある。
そこで、シャッター眼鏡の装着感を向上させる技術が提案されている（例えば、特許文献１参照）。
特許文献１に記載のシャッター眼鏡（液晶シャッタ眼鏡）では、第１眼鏡枠を構成する左右の側遮光部にシャッター眼鏡が備える電池及び電気部品を配分している。これにより、シャッター眼鏡の左右の重量バランスを均等にして、シャッター眼鏡を装着したときの使用者の疲れを軽減させている。
【先行技術文献】
【特許文献】
【０００３】
【特許文献１】特開平９−５９０４号公報
【発明の概要】
【発明が解決しようとする課題】
【０００４】
しかしながら、特許文献１に記載のシャッター眼鏡では、前側に配設されるシャッター部材（液晶シャッタ）の近傍に電池及び電気部品を配設しているため、シャッター眼鏡の重心位置が前側に片寄っている。このため、観察者がシャッター眼鏡を装着した際に、シャッター眼鏡の前側を支持する観察者の鼻に荷重が集中することになり、実際の重さ以上にシャッター眼鏡を重く感じてしまい、装着感が良好でなく、画像を見た際に疲れるという問題がある。
【０００５】
本発明の目的は、画像を見た際に疲れにくいシャッター眼鏡、及び、画像表示システムを提供することにある。
【課題を解決するための手段】
【０００６】
本発明のシャッター眼鏡は、入射光の透過及び遮断を切替可能な一対のシャッター部材と、前記一対のシャッター部材が配設されたフレーム部材とを備えるシャッター眼鏡であって、前記シャッター部材を駆動させる駆動回路及び駆動電源を備え、前記フレーム部材は、前記シャッター部材が取り付けられるリム部と、各一端が前記リム部にそれぞれ連結した一対のテンプル部とを備え、前記駆動回路及び前記駆動電源の少なくともいずれか一方は、前記テンプル部の他端側に配設されていることを特徴とする。
【０００７】
本発明では、シャッター眼鏡の構成部品である駆動回路及び駆動電源の少なくともいずれか一方を、テンプル部の他端側に配設している。このため、シャッター眼鏡の全体の重量を変化させることなく、観察者が装着した際の装着状態におけるシャッター眼鏡の重心位置を、テンプル部の他端側に移動できる。このことにより、シャッター眼鏡の荷重が観察者の鼻に集中することを防止でき、観察者が感じるシャッター眼鏡の重さを軽減できる。これにより、装着感を向上でき、画像を見た際に疲れにくくすることができる。
【０００８】
本発明のシャッター眼鏡では、前記駆動回路及び前記駆動電源の少なくともいずれか一方は、前記テンプル部の他端側の先端部に配設されていることが好ましい。
本発明では、駆動回路及び駆動電源の少なくともいずれか一方を、テンプル部の他端側の先端部に配設することで、これらを配設していないテンプル部の先端部以外の厚み寸法及び幅寸法を小さく構成できる。このことにより、視度矯正用眼鏡等の他の眼鏡を装着した上からシャッター眼鏡を重ねて装着しても他の眼鏡と干渉しにくくなり、装着感をさらに向上できる。
【０００９】
本発明のシャッター眼鏡では、前記一対のテンプル部は、観察者が装着した際の装着状態で、前記先端部が前記他端側の下方に向かい、かつ、互いに近づくように屈曲していることが好ましい。
本発明では、一対のテンプル部の各先端部が下方に向かい、かつ、互いに近づくように屈曲していることで、観察者がシャッター眼鏡を装着した際に、観察者の後頭部の形状に倣って先端部を配設できる。このことにより、各テンプル部が観察者の左側の後頭部及び右側の後頭部にそれぞれフィットし、装着感をさらに向上できる。また、このように先端部を屈曲させることで、他の眼鏡を装着した上からシャッター眼鏡を重ねて装着しても、先端部が他の眼鏡と干渉することを確実に防止できる。
【００１０】
本発明のシャッター眼鏡では、前記テンプル部は、前記リム部から斜め上方に向けて延出していることが好ましい。
本発明では、リム部から斜め上方に向けてテンプル部が延出しているので、シャッター眼鏡を観察者の後頭部と頭頂部との間の部位で支持できる。このことにより、他の眼鏡を装着した上からシャッター眼鏡を重ねて装着しても、観察者の耳における他の眼鏡との干渉を防止でき、装着感をさらに向上できる。また、テンプル部の他端側が、観察者の後頭部と頭頂部との間の部位で支持されるため、テンプル部の一端側に位置する観察者の鼻にかかるシャッター眼鏡の荷重を減らすことができ、装着感をさらに向上できる。
【００１１】
本発明の画像表示システムは、上述したシャッター眼鏡と、第１画像及び第２画像を時分割で交互に表示する画像表示装置とを備えることを特徴とする。
本発明では、画像表示装置により交互に表示される第１画像及び第２画像を、上述した装着感に優れたシャッター眼鏡を装着して見ることで、画像表示装置により表示される立体視等が可能な画像を見た際の疲労感を低減できる。
【図面の簡単な説明】
【００１２】
【図１】第１実施形態における画像表示システムの使用形態を示す斜視図。
【図２】前記実施形態における液晶シャッター眼鏡の構成を模式的に示す上面図。
【図３】前記実施形態における液晶シャッター眼鏡の構成を模式的に示す側面図。
【図４】前記実施形態における液晶シャッター眼鏡の使用形態を示す側面図。
【図５】第２実施形態における液晶シャッター眼鏡の構成を模式的に示す側面図。
【発明を実施するための形態】
【００１３】
[第１実施形態]
以下、本発明の第１実施形態を図面に基づいて説明する。
〔画像表示システムの構成〕
図１は、本実施形態における画像表示システム１の使用形態を示す斜視図である。
画像表示システム１は、反射型のスクリーンＳｃ上に投影画像を表示するとともに、観察者に投影画像を立体視させる。この画像表示システム１は、図１に示すように、画像表示装置としてのプロジェクター２と、シャッター眼鏡としての液晶シャッター眼鏡３とを備える。
【００１４】
プロジェクター２は、画像情報（画像データ）に基づく画像光を形成してスクリーンＳｃ上に投射する。このプロジェクター２は、左目用画像（第１画像）と右目用画像（第２画像）とを時分割して一定周期で交互に投射する。すなわち、スクリーンＳｃ上には、左目用画像と右目用画像とが交互に表示される。なお、プロジェクター２は、これら画像の切り替えタイミングを認識可能な同期信号を液晶シャッター眼鏡３に送信する。
【００１５】
液晶シャッター眼鏡３は、観察者が装着するものであり、一対のシャッター部材としての左目用選択部３１及び右目用選択部３２（これらについては後述）のそれぞれが、光を透過させる透過状態と、光を遮断する遮断状態とを切り替え可能に構成されている。
この液晶シャッター眼鏡３は、プロジェクター２が送信した同期信号を受信することで、プロジェクター２の左目用画像及び右目用画像の表示の切り替えタイミングを認識し、この表示の切り替えと同期して、左目用選択部３１及び右目用選択部３２の透過状態及び遮断状態の切り替えを行う。
つまり、スクリーンＳｃに左目用画像が表示されている間は、左目用選択部３１を透過状態とし、右目用選択部３２を遮断状態とする。一方、スクリーンＳｃに右目用画像が表示されている間は、右目用選択部３２を透過状態とし、左目用選択部３１を遮断状態とする。
【００１６】
以上の構成によって、画像表示システム１では、スクリーンＳｃ上の投影画像（左目用画像）は、観察者の左目のみで視認される。また、スクリーンＳｃ上の投影画像（右目用画像）は、観察者の右目のみで視認される。このため、観察者は、スクリーンＳｃ上の投影画像を視差により立体視することとなる。
【００１７】
〔液晶シャッター眼鏡の構成〕
図２及び図３は、液晶シャッター眼鏡３の構成を示す模式図である。具体的に、図２は、液晶シャッター眼鏡３の上面図であり、図３は、液晶シャッター眼鏡３の側面図（左目側の側面図）である。
液晶シャッター眼鏡３は、図２または図３に示すように、左目用選択部３１及び右目用選択部３２と、駆動回路３３と、駆動電源としての電池３４と、フレーム部材３５とを備える。
【００１８】
左目用選択部３１及び右目用選択部３２は、所謂液晶シャッターで構成され、上述したように、光を透過させる透過状態、光を遮断する遮断状態にそれぞれ切り替わる。この左目用選択部３１及び右目用選択部３２は、図３に示すように、視度矯正用眼鏡における眼鏡レンズと同様に、平板状の構成を備える。
駆動回路３３は、左目用選択部３１及び右目用選択部３２等を駆動させるのに必要なドライバーＩＣ（Integrated Circuit）、コネクター、プリント基板等で構成される回路部品である。
電池３４は、駆動回路３３に電力を供給する電源電池であり、本実施形態では、ボタン電池を採用している。
【００１９】
フレーム部材３５は、図２及び図３に示すように、リム部３５１と、一対のテンプル部３５２とを備え、上面視において略Ｕ字状（図２）に構成されている。
リム部３５１は、左目用選択部３１及び右目用選択部３２を連結して保持する。このリム部３５１における、左目用選択部３１及び右目用選択部３２を連結する中央位置の下部には、観察者が液晶シャッター眼鏡３を装着した際に観察者の鼻が当接するパッド部（図示略）が設けられている。なお、このリム部３５１には、上述した同期信号を受信する赤外受光素子等の受信部（図示略）も配設されている。
【００２０】
各テンプル部３５２は、具体的な構成は省略するが折り畳み可能に構成されている。なお、以下では、観察者が液晶シャッター眼鏡３を装着した際の状態（装着状態）、すなわち、図２及び図３に示すように、各テンプル部３５２が開いている状態を基準として説明する。
【００２１】
各テンプル部３５２は、図２及び図３に示すように、一端側の基端部３５３がリム部３５１に連結している。具体的に、左側の基端部３５３Ｌは、リム部３５１の左側端縁部３５１Ｌに連結し、右側の基端部３５３Ｒは、リム部３５１の右側端縁部３５１Ｒに連結している。なお、各テンプル部３５２は、図３に示すように、リム部３５１に保持されている平板状の左目用選択部３１及び右目用選択部３２に対し、側面視で直交するように連結されている。
【００２２】
各テンプル部３５２は、図２に示すように、他端側の先端部３５４が下方かつ互いに近づくように屈曲しており、観察者の後頭部の形状に倣って配設されている。換言すると、各テンプル部３５２は、先端部３５４が、上面視において、互いに近づくように屈曲しており、さらに、図３に示すように、側面視において下方に向けてＬ字状に屈曲している。
ここで、各先端部３５４は、装着状態において観察者が鼻でリム部３５１を支持した際に、観察者の側後頭部（後頭部の左側及び右側に位置する部位）に支持面３５５がそれぞれ当接するように、位置、形状、大きさ及び角度等が設定されている。
【００２３】
また、先端部３５４は、テンプル部３５２の他の部分よりも厚み寸法Ｔ（図２）及び幅寸法Ｗ（図３）が大きく構成されている。なお、テンプル部３５２の厚み寸法とは、図２の上面視における厚み寸法であり、幅寸法とは、図３の側面視における幅寸法である。
そして、この先端部３５４は、内部に駆動回路３３及び電池３４を配設している。具体的に、左側の先端部３５４Ｌには、駆動回路３３が配設され、右側の先端部３５４Ｒには、電池３４が配設されている。なお、駆動回路３３及び電池３４と、左目用選択部３１及び右目用選択部３２とは、テンプル部３５２内に配設されたフレキシブル基板等により接続されている。
【００２４】
これら駆動回路３３及び電池３４は、液晶シャッター眼鏡３の重心位置Ｐ（図２）を調整するために先端部３５４に配設されている。具体的に、液晶シャッター眼鏡３の重心位置Ｐは、図２に示すように、液晶シャッター眼鏡３の前後方向の全長をＬ１とすると、液晶シャッター眼鏡３の前端縁から重心位置Ｐまでの距離Ｌ２が、全長Ｌ１の１／３以上１／１以下の範囲となるように設定されている。
【００２５】
図４は、液晶シャッター眼鏡３の使用形態を示す側面図である。具体的に、図４は、視度矯正用眼鏡等の他の眼鏡４の上から液晶シャッター眼鏡３を重ねて装着した使用形態を示す図である。
液晶シャッター眼鏡３は、図４に示すように、観察者に装着された際に、リム部３５１が観察者の鼻で支持され、テンプル部３５２の先端部３５４側が観察者の耳で支持される。
このように支持される液晶シャッター眼鏡３は、先端部３５４以外のテンプル部３５２の厚み寸法及び幅寸法が小さいため、他の眼鏡４に重ねて装着した場合であっても、他の眼鏡４と干渉しにくい。また、先端部３５４が側後頭部に位置するので、耳にかける構成の他の眼鏡４と先端部３５４とが干渉しない構成となっている。
【００２６】
上述した第１実施形態によれば、以下の効果がある。
液晶シャッター眼鏡３の構成部品である駆動回路３３及び電池３４を、テンプル部３５２の他端側に配設している。このため、液晶シャッター眼鏡３の全体の重量を変化させることなく、観察者が装着した際の装着状態における液晶シャッター眼鏡３の重心位置Ｐを、テンプル部３５２の他端側に移動できる。このことにより、液晶シャッター眼鏡３の荷重が観察者の鼻に集中することを防止でき、観察者が感じる液晶シャッター眼鏡３の重さを軽減できる。これにより、装着感を向上できる。
プロジェクター２によってスクリーンＳｃに表示される画像を、この装着感に優れた液晶シャッター眼鏡３を装着して見るので、表示画像を見た際の疲労感を低減できる。
【００２７】
また、駆動回路３３及び電池３４を、テンプル部３５２の他端側の先端部３５４に配設しているので、これらを配設していないテンプル部３５２の先端部３５４以外の厚み寸法及び幅寸法を小さく構成できる。このことにより、他の眼鏡４を装着した上から液晶シャッター眼鏡３を重ねて装着しても他の眼鏡４と干渉しにくくなり、装着感をさらに向上できる。
【００２８】
さらに、一対のテンプル部３５２の各先端部３５４が下方に向かい、かつ、互いに近づくように屈曲していることで、観察者が液晶シャッター眼鏡３を装着した際に、観察者の後頭部の形状に倣って先端部３５４が配設されている。このことにより、各テンプル部３５２が観察者の左右の側後頭部にそれぞれフィットし、装着感をさらに向上できる。また、このように先端部３５４を屈曲させることで、他の眼鏡４を装着した上から液晶シャッター眼鏡３を重ねて装着しても、先端部３５４が他の眼鏡４と干渉することを確実に防止できる。
【００２９】
[第２実施形態]
次に、本発明の第２実施形態を図面に基づいて説明する。
以下の説明では、前記第１実施形態と同様の構造及び同一部材には同一符号を付して、その詳細な説明は省略または簡略化する。
なお、以下に説明する第２実施形態は、前記第１実施形態における画像表示システム１とは液晶シャッター眼鏡の構造が相違する。他の構造は、前記第１実施形態と同様である。
【００３０】
図５は、本実施形態における液晶シャッター眼鏡３Ａの構成を模式的に示す側面図である。具体的に、図５は、装着状態における液晶シャッター眼鏡３Ａの側面図である。
本実施形態の液晶シャッター眼鏡３Ａは、テンプル部３５２Ａの構造が前記第１実施形態の液晶シャッター眼鏡３におけるテンプル部３５２と相違する。
【００３１】
本実施形態の液晶シャッター眼鏡３Ａが備える一対のテンプル部３５２Ａは、図５に示すように、リム部３５１から斜め上方に向けて延出している。すなわち、各テンプル部３５２Ａは、リム部３５１に保持されている平板状の左目用選択部３１及び右目用選択部３２（図１等参照）に対し、側面視で若干の角度を持って交差するように連結されている。さらに換言すると、各テンプル部３５２Ａは、液晶シャッター眼鏡３Ａを観察者が装着した場合に、側面視で観察者の鼻位置から後頭頂部（後頭部と頭頂部の間の部位）に向かう方向に向かって延出している。
【００３２】
この一対のテンプル部３５２Ａの各先端部３５４Ａは、観察者の後頭頂部の形状に倣って配設されている。つまり、各先端部３５４Ａは、装着状態において鼻でリム部３５１を支持した際に、観察者側に位置する支持面３５５Ａが観察者の左右両側の後頭頂部にそれぞれ当接するように、位置、形状、大きさ等が設定されている。具体的に、各テンプル部３５２Ａは、他端の端縁に向かって先端部３５４Ａの幅が広がるように構成され、先端部３５４Ａの観察者側の支持面３５５Ａが、後頭頂部に倣った形状に構成されている。
これにより、液晶シャッター眼鏡３Ａは、観察者が装着した際に、リム部３５１が観察者の鼻で支持され、各先端部３５４Ａが観察者の左右両側の後頭頂部で支持される。
【００３３】
上述した第２実施形態によれば、前記第１実施形態と同様の効果を奏する他、以下の効果を奏する。
リム部３５１から斜め上方に向けてテンプル部３５２Ａが延出しているので、液晶シャッター眼鏡３Ａを観察者の後頭頂部で支持できる。このことにより、他の眼鏡を装着した上から液晶シャッター眼鏡３Ａを重ねて装着しても、観察者の耳における他の眼鏡との干渉を防止でき、装着感をさらに向上できる。また、テンプル部３５２Ａの他端側が、観察者の後頭頂部で支持されるため、テンプル部３５２Ａの一端側に位置する観察者の鼻にかかる液晶シャッター眼鏡３Ａの荷重を減らすことができ、装着感をさらに向上できる。
【００３４】
なお、本発明は前述の各実施形態に限定されるものではなく、本発明の目的を達成できる範囲での変形、改良等は本発明に含まれるものである。
前記各実施形態では、駆動回路３３及び電池３４を、テンプル部３５２，３５２Ａの先端位置（先端部３５４，３５４Ａ）に配設したが、駆動回路３３及び電池３４を配設することで、装着状態における重心位置が後方へ移動する位置であれば、先端位置以外に配設しても構わない。また、駆動回路３３及び電池３４の双方を先端部３５４，３５４Ａに配設することに限らず、少なくともどちらか一方を配設する構成であってもよい。
前記各実施形態では、液晶シャッター眼鏡３の構成を、上方からの平面視においてＵ字状の構成について例示したが、これに限らず、円輪状の構成であってもよい。
【００３５】
前記各実施形態では、本発明に係る画像表示システムを、観察者に投影画像を立体視させる画像表示システム１として構成していたが、これに限らない。例えば、左目用画像及び右目用画像をコンテンツの異なる画像とし、２つの投影画像を表示するデュアル表示システムとして構成しても構わない。
このようなデュアル表示システムとして構成した場合には、液晶シャッター眼鏡３としては、左目用選択部３１を左右に設けた眼鏡、及び右目用選択部３２を左右に設けた眼鏡の２種類を設ければよい。
【００３６】
前記各実施形態では、画像表示システム１として、フロント投射型のプロジェクター２を採用した例のみを挙げたが、本発明は、スクリーンを備え、当該スクリーンの裏面側から投射を行うリアタイプのプロジェクターを採用した構成としても構わない。また、テレビジョン受像機、コンピューターのモニター装置等を画像表示装置として採用した構成であっても構わない。
前記各実施形態では、本発明に係るシャッター眼鏡を、液晶シャッター方式による液晶シャッター眼鏡３として構成していたが、これに限らず、他の電気部品により入射光の透過及び遮断を切替可能なシャッター眼鏡に適用してもよい。
【産業上の利用可能性】
【００３７】
本発明は、プロジェクターや眼鏡を用いて画像を立体視させる画像表示システムに利用できる。
【符号の説明】
【００３８】
１・・・画像表示システム、２・・・プロジェクター（画像表示装置）、３，３Ａ・・・液晶シャッター眼鏡（シャッター眼鏡）、３１・・・左目用選択部（シャッター部材）、３２・・・右目用選択部（シャッター部材）、３３・・・駆動回路、３４・・・電池（駆動電源）、３５・・・フレーム部材、３５１・・・リム部、３５２，３５２Ａ・・・テンプル部、３５４，３５４Ａ・・・先端部。
【図１】
2012058530.tif 000003
【図２】
2012058530.tif 000004
【図３】
2012058530.tif 000005
【図４】
2012058530.tif 000006
【図５】
2012058530.tif 000007